(57)【要約】【課題】ユーザがハードキーかタッチパネルか正しい操作手段を用いて操作している時には余計な表示をすることがなく、誤った操作手段を用いた時のみユーザを正しい操作手段を用いるように導く。【解決手段】情報を表示するための表示手段と、装置を操作するためのハードキー手段と、前記表示手段と組み合わせて使用するタッチパネル手段と、前記表示手段に仮想ボタンを形成する仮想ボタン形成手段と、前記仮想ボタン形成手段と前記タッチパネルを用いて前記仮想ボタンが押下されたことを検知する仮想ボタン検知手段と、前記ハードキー手段を用いて本装置を操作する第１のモードと、前記タッチパネル手段を用いて本装置を操作する第２のモードと、前記第１のモードの時に前記タッチパネル手段を操作すると、タッチパネルで操作できない旨を表示する第１操作指示表示手段と、前記第２のモードの時に前記ハードキー手段を操作すると、ハードキーで操作できない旨を表示する第２操作指示表示手段と、を有する【選択図】        図１０
2007052643.tif 000002
【特許請求の範囲】
【請求項１】
情報を表示するための表示手段と、
装置を操作するためのハードキー手段と、
前記表示手段と組み合わせて使用するタッチパネル手段と、
前記表示手段に仮想ボタンを形成する仮想ボタン形成手段と、
前記仮想ボタン形成手段と前記タッチパネルを用いて前記仮想ボタンが押下されたことを検知する仮想ボタン検知手段と、
前記ハードキー手段を用いて本装置を操作する第１のモードと、
前記タッチパネル手段を用いて本装置を操作する第２のモードと、
前記第１のモードの時に前記タッチパネル手段を操作すると、タッチパネルで操作できない旨を表示する第１操作指示表示手段と、
前記第２のモードの時に前記ハードキー手段を操作すると、ハードキーで操作できない旨を表示する第２操作指示表示手段と、
を有することを特徴とする表示装置。
【請求項２】
前記第１操作指示表示手段は操作可能な操作手段を示唆する表示を含むことを特徴とする、請求項１記載の表示装置。
【請求項３】
前記第２操作指示表示手段は操作可能な操作手段を示唆する表示を含むことを特徴とする、請求項１記載の表示装置。
【発明の詳細な説明】
【技術分野】
【０００１】
本発明は、表示装置に関するもので、特にハードキーとタッチパネルとを併用する際の操作方法及び表示方法に関するものである。
【背景技術】
【０００２】
従来、ハードキーとタッチパネルを併用した操作手段を持つ表示装置が広く知られている。これらの装置には特許文献１に記載されている操作パネル及び操作パネルの入力操作切替方法を用いた装置のようにユーザが特定の操作を行うことでハードキー入力モードとタッチパネル入力モードを切り替えるものがある。また、ハードキーとタッチパネルを併用し、どちらの手段を用いても操作可能な装置もある。また、ハードキーとタッチパネルを併用はするが、特定の場面ではハードキーのみの操作が可能であり、特定の場面ではタッチパネルのみの操作が可能である装置もある。
【特許文献１】特開２００４−２３４１８０号公報
【発明の開示】
【発明が解決しようとする課題】
【０００３】
前記のユーザが特定の操作を行うことでハードキー入力モードとタッチパネル入力モードを切り替えるような装置ではユーザが明示的に操作手段を切り替えるため、ユーザはハードキーかタッチパネルのどちらを用いて操作すれば良いのか明確である。また、前記のハードキーとタッチパネルを併用し、どちらの手段を用いても操作可能な装置では、ユーザが好みの操作手段を用いて操作できるため、ユーザは操作方法について迷うことはない。
【０００４】
しかし、前記のハードキーとタッチパネルを併用するが特定の場面ではハードキーのみの操作が可能であり特定の場面ではタッチパネルのみの操作が可能である装置においては、ユーザはどちらの操作手段を用いれば良いのか迷う場面が存在する。例えばハードキーのみ操作が可能な場面でユーザはタッチパネルを押下しても装置は反応しないため、ユーザはどのような操作をすればよいのか分からない。逆にタッチパネルのみ操作が可能な場面でユーザはハードキーを押下しても装置は反応しないため、ユーザはどのような操作をすればよいのか分からない。
【０００５】
この様な課題を解決するためには幾つかの手段が考えられるが、例えば表示手段の中に常に「タッチパネルで操作してください」というように明示すればユーザは迷うことはないのだが、そのために表示可能エリアが狭くなってしまってしまうという問題点がある。また、ＬＥＤなどのランプを用いてどちらで操作可能か示す手段も考えられるが、そのためには専用のハードを用いることになりコストアップにつながってしまう。
【０００６】
本発明では、ユーザがハードキーかタッチパネルか正しい操作手段を用いて操作している時には余計な表示をすることがなく、誤った操作手段を用いた時のみユーザを正しい操作手段を用いるように導く表示装置を提供することを目的とする。
【課題を解決するための手段】
【０００７】
本発明はかかる課題を解決するために為されたものであり、
情報を表示するための表示手段と、
装置を操作するためのハードキー手段と、
前記表示手段と組み合わせて使用するタッチパネル手段と、
前記表示手段に仮想ボタンを形成する仮想ボタン形成手段と、
前記仮想ボタン形成手段と前記タッチパネルを用いて前記仮想ボタンが押下されたことを検知する仮想ボタン検知手段と、
前記ハードキー手段を用いて本装置を操作する第１のモードと、
前記タッチパネル手段を用いて本装置を操作する第２のモードと、
前記第１のモードの時に前記タッチパネル手段を操作すると、タッチパネルで操作できない旨を表示する第１操作指示表示手段と、
前記第２のモードの時に前記ハードキー手段を操作すると、ハードキーで操作できない旨を表示する第２操作指示表示手段と、
を有することを特徴とする表示装置であるため、
ユーザがタッチパネルでしか操作できない場面でハードキーを押下した場合や、ハードキーでしか操作できない場面でタッチパネルを押下した場合でも、何故操作できないのかを知ることができるため、どちらの操作手段を用いればよいのか迷うことはない。
【０００８】
また、
前記第１操作指示表示手段は操作可能な操作手段を示唆する表示を含むことを特徴とする表示装置であるため、
例えばタッチパネルで操作できない旨を表示すると共に、どのハードキーが操作可能かを表示することによって、ユーザはタッチパネルではなくどのハードキーを押下すれば良いのかまで知ることができるので、ユーザは正しい操作手段を容易に選択することが出来る。
【０００９】
また、
前記第２操作指示表示手段は操作可能な操作手段を示唆する表示を含むことを特徴とする表示装置であるため、
例えばハードキーで操作できない旨を表示すると共に、どのタッチパネルのボタンが操作可能かを表示することによって、ユーザはハードキーではなくどのタッチパネルのボタンを押下すれば良いのかまで知ることができるので、ユーザは正しい操作手段を容易に選択することが出来る。
【発明の効果】
【００１０】
本発明を用いることによってユーザがタッチパネルでしか操作できない場面でハードキーを押下した場合や、ハードキーでしか操作できない場面でタッチパネルを押下した場合でも、何故操作できないのかを知ることができるため、どちらの操作手段を用いればよいのか迷うことはない。
【発明を実施するための最良の形態】
【００１１】
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【実施例】
【００１２】
以下、本発明の一実施形態としての表示装置を説明する。図１は、実施形態の表示装置の構成例を示す構成図である。
【００１３】
図１において１００は装置全体を制御するための中央演算処理部（ＣＰＵ）であり、１０１はプログラムおよびデータを記憶するＲＯＭ、１０２は個人データなどのバックアップ用のデータを格納する不揮発性ＲＡＭ、１０３はＣＰＵワークスペースなどの一時記憶領域などから成る記憶部（ＤＲＡＭ）である。１０５はグラフィックや、タッチパネルを用いて操作するタッチボタンなど、画面情報をカラー表示する表示部、１０６はユーザが操作を行うハードキーで構成されるハードキー部である。
【００１４】
図２は、表示部１０５の構成図である。表示部１０５は、表示データを記憶するＶＲＡＭ２００と、タッチパネル式ドットマトリクスＬＣＤ２０２と、ＶＲＡＭ２００の内容をタッチパネル式ドットマトリクスＬＣＤ２０２に出力させるためのＬＣＤドライバ２０１と、タッチパネル式ドットマトリクスＬＣＤ２０２を押下された時に位置情報や押下強度などを計算しタッチボタン情報を通知するタッチパネルドライバ２０３と、を含む。
【００１５】
図３は、本表示装置のハードキー部１０６の外観構成図であり、タッチパネル式ドットマトリクスＬＣＤ２０２と、電話番号などの数字情報などを入力するためのテンキー５０７と、機能設定などに用いる登録キー５０３と、本装置の動作を開始する時に用いるスタートキー５０４と、設定入力キーであるセットキー５０５と、表示部のカーソル移動などに用いる十字キー５０６と、を含む。
【００１６】
次に図１０を用いて、タッチパネルでしか操作できない場面でハードキーを押下した場合の表示例について説明する。
【００１７】
ここでタッチパネルでしか操作できない場面の表示例を図４を用いて説明する。図４はタッチパネル式ドットマトリクスＬＣＤ２０２にフリーハンドで絵を描画する表示例である。図４はフリーハンドの絵を描画するための入力エリアである図形入力エリア３１１と、描画を取り止めて前回の場面に戻るためのタッチボタンである戻るボタン３１２と、描画を確定して次の場面に遷移するためのタッチボタンである決定ボタン３１３と、を含む。この場面ではハードキー手段１０５を用いては絵を描画することはできないので、タッチパネルでのみ操作可能となっている。
【００１８】
図１０はＳ１００１から始まり、Ｓ１００２に進む。Ｓ１００２ではユーザがタッチパネルまたはハードキーを押下しＳ１００３に進む。Ｓ１００３ではタッチパネルが押下されたかを判断する。タッチパネルが押下されたならばＳ１００４に進み装置は所定の動作を行い本フローを終了する。ハードキーが押下されたならばＳ１００５に進む。Ｓ１００５では装置は操作支持ポップアップを表示する。
【００１９】
ここで、図５及び図６を用いて操作指示ポップアップについて説明する。図５は操作指示ポップアップＡ３２１の表示例である。操作指示ポップアップＡ３２１は、現在ハードキーで操作できなくタッチパネルで操作する旨を表している。図６に示す操作指示ポップアップＢ３３１は操作指示ポップアップＡ３２１の内容に加えて、ハードキーで操作できなくてどのようなタッチパネルのボタンで操作すれば良いのかを表している。
【００２０】
Ｓ１００５では操作指示ポップアップＡ３２１を表示することによって現在はハードキーでは操作できなくてタッチパネルで操作する場面である旨をユーザに通知することが出来る。さらに操作指示ポップアップＢ３３１を表示することで正しい操作を知ることができる。
【００２１】
図１０に示すフローを実行することで、タッチパネルでしか操作できない場面においてユーザが誤ってハードキーを用いて操作しようとしても直ぐに誤りに気付き正しい操作方法で装置を操作できる。さらに常に「タッチパネルで操作して下さい」と表示する方式と比べて表示部のエリアを無駄に使ってしまうこともない。
【００２２】
次に図１１を用いて、ハードキーでしか操作できない場面でタッチパネルを押下した場合の表示例について説明する。
【００２３】
ここでハードキーでしか操作できない場面の表示例を図７を用いて説明する。図７はタッチパネル式ドットマトリクスＬＣＤ２０２にテンキー５０７を用いて電話番号を入力する画面の表示例である。図７はテンキー５０７を用いて入力した電話番号を表示する電話番号入力エリア３４１を含む。この場面ではタッチパネルを用いて電話番号を入力することはできないので、ハードキーでのみ操作可能となっている。
【００２４】
図１１はＳ１１０１から始まり、Ｓ１１０２に進む。Ｓ１１０２ではユーザがタッチパネルまたはハードキーを押下しＳ１１０３に進む。Ｓ１１０３ではハードキーが押下されたかを判断する。ハードキーが押下されたならばＳ１１０４に進み装置は所定の動作を行い本フローを終了する。タッチパネルが押下されたならばＳ１１０５に進む。Ｓ１１０５では装置は操作支持ポップアップを表示する。
【００２５】
ここで、図８及び図９を用いて操作指示ポップアップについて説明する。図８は操作指示ポップアップＣ３５１の表示例である。操作指示ポップアップＣ３５１は、現在タッチパネルで操作できなくハードキーで操作する旨を表している。図９に示す操作指示ポップアップＤ３６１は操作指示ポップアップＣ３５１に加えてタッチパネルで操作できなくてどのようなハードキーで操作すれば良いのかを表している。
【００２６】
Ｓ１１０５では操作指示ポップアップＣ３５１を表示することによって現在はタッチパネルでは操作できなくてハードキーで操作する場面である旨をユーザに通知することが出来る。さらに操作指示ポップアップＤ３６１を表示することで正しい操作を知ることができる。
【００２７】
図１１に示すフローを実行することで、ハードキーでしか操作できない場面においてユーザが誤ってタッチパネルを用いて操作しようとしても直ぐに誤りに気付き正しい操作方法で装置を操作できる。さらに常に「ハードキーで操作して下さい」と表示する方式と比べて表示部のエリアを無駄に使ってしまうこともない。
【図面の簡単な説明】
【００２８】
【図１】実施形態の表示装置の構成例を示す図である。
【図２】図１に示す表示部１０５の詳細例を表した図である。
【図３】図１に示すハードキー部１０６の詳細例を示した図である。
【図４】図２に示すタッチパネル式ドットマトリクスＬＣＤ２０２の、タッチパネルでのみ操作可能な場面の表示例を示した図である。
【図５】図２に示すタッチパネル式ドットマトリクスＬＣＤ２０２の、ハードキーでのみ操作可能な場面でタッチパネルを押下した際の表示例を示した図である。
【図６】図２に示すタッチパネル式ドットマトリクスＬＣＤ２０２の、ハードキーでのみ操作可能な場面でタッチパネルを押下した際の表示例を示した図である。
【図７】図２に示すタッチパネル式ドットマトリクスＬＣＤ２０２の、ハードキーでのみ操作可能な場面の表示例を示した図である。
【図８】図２に示すタッチパネル式ドットマトリクスＬＣＤ２０２の、タッチパネルでのみ操作可能な場面でハードキーを押下した際の表示例を示した図である。
【図９】図２に示すタッチパネル式ドットマトリクスＬＣＤ２０２の、タッチパネルでのみ操作可能な場面でハードキーを押下した際の表示例を示した図である。
【図１０】本表示装置においてタッチパネルを押下した際のフローを示す図である。
【図１１】本表示装置においてハードキーを押下した際のフローを示す図である。
【符号の説明】
【００２９】
１００  ＣＰＵ
１０１  ＲＯＭ
１０２  不揮発性ＲＡＭ
１０３  記憶部ＤＲＡＭ
１０５  表示部
１０６  ハードキー部
１１０  システムバス
【図１】
2007052643.tif 000003
【図２】
2007052643.tif 000004
【図３】
2007052643.tif 000005
【図４】
2007052643.tif 000006
【図５】
2007052643.tif 000007
【図６】
2007052643.tif 000008
【図７】
2007052643.tif 000009
【図８】
2007052643.tif 000010
【図９】
2007052643.tif 000011
【図１０】
2007052643.tif 000012
【図１１】
2007052643.tif 000013